(57)【特許請求の範囲】
【請求項１】
複数の対象設備のエネルギー消費量を表す消費量データを取得する取得部と、
表示部に表示される情報を表す第１グラフデータを、前記取得部が取得した前記消費量データに基づいて、評価期間の内の予め定められた時間単位におけるエネルギー消費量を前記複数の対象設備の種別ごとに正側である上方に積層した第１積層グラフの情報を含むように生成する生成部と、
を備え、
前記生成部は、前記第１グラフデータを、
前記評価期間における前記時間単位に各々が対応し、各々に共通する前記評価期間の始期から各々が対応する時間単位までについての前記複数の対象設備の全体のエネルギー消費量の累積平均を各々が表し、各々が対応する時間単位の前記第１積層グラフに重ねて表示される複数の第１マーカーと、
前記評価期間に対するエネルギー消費量の基準値の前記時間単位あたりの値を表し前記第１積層グラフに重ねて表示される第１ボーダーラインと、
の情報を含むように生成する
エネルギー収支の可視化システム。
【請求項２】
前記生成部は、前記第１グラフデータにおいて前記第１積層グラフを前記時間単位ごとの複数の第１表示バーによって棒グラフとして表し、前記評価期間より過去の比較期間の内の予め定められた時間単位におけるエネルギー消費量を表し前記複数の第１表示バーの各々に隣接して表示される複数の第１履歴バーの情報を含むように前記第１グラフデータを生成する
請求項１に記載のエネルギー収支の可視化システム。
【請求項３】
複数の対象設備のエネルギー消費量を表す消費量データを取得し、前記複数の対象設備のエネルギー生産量を表す生産量データを取得する取得部と、
表示部に表示される情報を表す第２グラフデータを、前記取得部が取得した前記消費量データおよび前記生産量データに基づいて、評価期間の内の予め定められた時間単位におけるエネルギー消費量を前記複数の対象設備の種別ごとに正側である上方に積層して前記評価期間の内の前記時間単位におけるエネルギー生産量を負側である下方に積層した第２積層グラフの情報を含むように生成する生成部と、
を備え、
前記生成部は、前記第２グラフデータを、
前記評価期間における前記時間単位に各々が対応し、各々に共通する前記評価期間の始期から各々が対応する時間単位までについての前記複数の対象設備の全体の正味のエネルギー消費量の累積平均を各々が表し、各々が対応する時間単位の前記第２積層グラフに重ねて表示される第２マーカーと、
前記評価期間に対する正味のエネルギー消費量の基準値の前記時間単位あたりの値を表し前記第２積層グラフに重ねて表示される第２ボーダーラインと、
の情報を含むように生成する
エネルギー収支の可視化システム。
【請求項４】
前記生成部は、前記第２グラフデータにおいて前記第２積層グラフを前記時間単位ごとの複数の第２表示バーによって棒グラフとして表し、前記評価期間より過去の比較期間の内の予め定められた時間単位におけるエネルギー消費量およびエネルギー生産量を表し前記複数の第２表示バーの各々に隣接して表示される複数の第２履歴バーの情報を含むように前記第２グラフデータを生成する
請求項３に記載のエネルギー収支の可視化システム。
【発明の詳細な説明】
【技術分野】
【０００１】
本発明は、エネルギー収支の可視化システムに関する。
【背景技術】
【０００２】
特許文献１にエネルギー収支の可視化システムの例が記載されている。可視化システムは、上方を正のエネルギー生産量としたグラフによって、エネルギー生産量の経時変化を表示する。可視化システムは、下方を正のエネルギー消費量としたグラフによって、エネルギー消費量の経時変化を表示する。
【先行技術文献】
【特許文献】
【０００３】
【特許文献１】日本特開２０１６−１９４５０号公報
【発明の概要】
【発明が解決しようとする課題】
【０００４】
しかしながら、特許文献１に記載の可視化システムは、建築物に設けられる対象設備の全体のエネルギー消費量を表示する。このため、複数の種類の対象設備が設けられる建築物において、どのようにしてエネルギー消費量を抑えるかの方策を立てることが困難である。【０００５】
本発明は、このような課題を解決するためになされた。本発明の目的は、エネルギー消費量を抑える方策を立てやすいエネルギー収支の可視化システムを提供することである。
【課題を解決するための手段】
【０００６】
本発明に係るエネルギー収支の可視化システムは、複数の対象設備のエネルギー消費量を表す消費量データを取得する取得部と、表示部に表示される情報を表す第１グラフデータを、取得部が取得した消費量データに基づいて、評価期間の内の予め定められた時間単位におけるエネルギー消費量を複数の対象設備の種別ごとに正側である上方に積層した第１積層グラフの情報を含むように生成する生成部と、を備え、生成部は、第１グラフデータを、評価期間における時間単位に各々が対応し、各々に共通する評価期間の始期から各々が対応する時間単位までについての複数の対象設備の全体のエネルギー消費量の累積平均を各々が表し、各々が対応する時間単位の第１積層グラフに重ねて表示される複数の第１マーカーと、評価期間に対するエネルギー消費量の基準値の時間単位あたりの値を表し第１積層グラフに重ねて表示される第１ボーダーラインと、の情報を含むように生成する。
【０００７】
本発明に係るエネルギー収支の可視化システムは、複数の対象設備のエネルギー消費量を表す消費量データを取得し、複数の対象設備のエネルギー生産量を表す生産量データを取得する取得部と、表示部に表示される情報を表す第２グラフデータを、取得部が取得した消費量データおよび生産量データに基づいて、評価期間の内の予め定められた時間単位におけるエネルギー消費量を複数の対象設備の種別ごとに正側である上方に積層して評価期間の内の時間単位におけるエネルギー生産量を負側である下方に積層した第２積層グラフの情報を含むように生成する生成部と、を備え、生成部は、第２グラフデータを、評価期間における時間単位に各々が対応し、各々に共通する評価期間の始期から各々が対応する時間単位までについての複数の対象設備の全体の正味のエネルギー消費量の累積平均を各々が表し、各々が対応する時間単位の第２積層グラフに重ねて表示される第２マーカーと、評価期間に対する正味のエネルギー消費量の基準値の時間単位あたりの値を表し第２積層グラフに重ねて表示される第２ボーダーラインと、の情報を含むように生成する。
【発明の効果】
【０００８】
これらの発明によれば、可視化システムは、取得部と、生成部と、を備える。取得部は、複数の対象設備のエネルギー消費量を表す消費量データを取得する。生成部は、消費量データに基づいて、評価期間の内の予め定められた時間単位におけるエネルギー消費量を複数の対象設備の種別ごとに正側である上方に積層したグラフの情報を含むデータを生成する。生成部が生成したデータが表す情報は、表示部に表示される。これにより、エネルギー消費量を抑える方策が立てやすくなる。
【図面の簡単な説明】
【０００９】
【図１】実施の形態１に係る可視化システムが適用される建築物の構成図である。
【図２】実施の形態１に係る可視化システムにおける表示の例を示す図である。
【図３】実施の形態１に係る可視化システムにおける表示の例を示す図である。
【図４】実施の形態１に係る可視化システムの動作の例を示すフローチャートである。
【図５】実施の形態１に係る可視化システムの主要部のハードウェア構成を示す図である。
【発明を実施するための形態】
【００１０】
本発明を実施するための形態について添付の図面を参照しながら説明する。各図において、同一または相当する部分には同一の符号を付して、重複する説明は適宜に簡略化または省略する。
【００１１】
実施の形態１．
図１は、実施の形態１に係る可視化システムが適用される建築物の構成図である。
【００１２】
建築物１は、複数の設備を備える。複数の設備の一部は、エネルギーを生産するエネルギー生産設備である。複数の設備の少なくとも一部は、エネルギーを消費するエネルギー消費設備である。エネルギー生産設備は、例えば発電設備２である。発電設備２は、例えば再生可能エネルギーから電気エネルギーを生産する設備である。発電設備２は、例えば、太陽光発電設備、風力発電設備またはバイオマス発電設備などである。エネルギー消費設備は、種別によって分類される。エネルギー消費設備の種別は、例えば空調設備３、換気設備４、照明設備５、給湯設備６、昇降機７またはその他の設備８のいずれかである。その他の設備８は、例えば建築物１に設けられるコンセントから電力の供給を受けて動作する設備である。その他の設備８は、例えばパーソナルコンピューターまたは複写機などのＯＡ機器（ＯＡ：Ｏｆｆｉｃｅ  Ａｕｔｏｍａｔｉｏｎ）である。
【００１３】
建築物１は、複数のメーター９を備える。複数のメーター９は、複数の設備の少なくともいずれかに対応する。複数のメーター９の各々は、当該メーター９が対応する設備におけるエネルギー消費量の情報またはエネルギー生産量の情報を出力する機器である。複数のメーター９の各々は、例えば当該メーター９が設けられる設備において予め定められた単位のエネルギーが生産されたときに、エネルギー生産量の情報としてパルス信号を出力する素子を搭載する。あるいは、複数のメーター９の各々は、例えば当該メーター９が設けられる設備において予め定められた単位のエネルギーが消費されたときに、エネルギー消費量の情報としてパルス信号を出力する素子を搭載する。複数のメーター９の一部または全部は、同じ種別の複数の設備に対応してもよい。
【００１４】
ところで、建築物１がエネルギー収支に関する基準に適合する場合に、建築物１の付加価値が高まることがある。また、建築物１がエネルギー収支に関する基準に適合する場合に、建築物１が補助金などの給付の対象となることがある。ここで、エネルギー収支は、エネルギーの生産量およびエネルギーの消費量を表す。建築物１におけるエネルギーの生産量およびエネルギーの消費量は、建築物１に設けられる複数の設備のエネルギーの生産量およびエネルギーの消費量を表す。
【００１５】
エネルギー収支に関する基準は、例えばＺＥＢの基準である（ＺＥＢ：ｎｅｔ  Ｚｅｒｏ  Ｅｎｅｒｇｙ  Ｂｕｉｌｄｉｎｇ）。ＺＥＢの基準の例として、例えばＺＥＢ  Ｒｅａｄｙと、Ｎｅａｒｌｙ  ＺＥＢと、『ＺＥＢ』と、の要件が定められている。ＺＥＢ  Ｒｅａｄｙの要件は、建築物１におけるエネルギー消費量が基準一次エネルギー消費量の５０％未満となることである。基準一次エネルギー消費量は、例えば基準となる建築物に対して算出されるエネルギー消費量である。Ｎｅａｒｌｙ  ＺＥＢの要件は、ＺＥＢ  Ｒｅａｄｙの要件を満たし、かつ、建築物１における正味のエネルギー消費量が基準一次エネルギー消費量の２５％未満となることである。ここで、正味のエネルギー消費量は、エネルギー消費量からエネルギー生産量を差し引いたエネルギー量である。『ＺＥＢ』の要件は、ＺＥＢ  Ｒｅａｄｙの要件を満たし、かつ、建築物１における正味のエネルギー消費量が基準一次エネルギー消費量の０％以下となることである。すなわち、ＺＥＢ  Ｒｅａｄｙの要件は、Ｎｅａｒｌｙ  ＺＥＢの要件および『ＺＥＢ』の要件の前提の要件となる。
【００１６】
ＺＥＢの基準において、評価の対象となる対象設備１０が定められる。対象設備１０は、エネルギー生産設備およびエネルギー消費設備を含む。エネルギー消費設備としての対象設備１０は、例えば空調設備３、換気設備４、照明設備５、給湯設備６および昇降機７である。ＺＥＢの基準において、評価の対象となる評価期間が定められる。評価期間は、例えば現在の時刻と連動しない固定の期間である。評価期間は、例えば評価を開始する年の４月から翌年の３月までの一年の期間である。このとき、評価期間の始期は、評価を開始する年の４月１日である。また、評価期間の終期は、翌年の３月３１日である。
【００１７】
このため、例えば建築物１の管理者は、対象設備１０について、建築物１がエネルギー収支に関する基準に適合するような利用を望む場合がある。例えばこのような場合に、エネルギー収支の可視化システム１１が、建築物１に適用される。可視化システム１１は、対象設備１０についてのエネルギー収支を可視化するシステムである。
【００１８】
可視化システム１１は、コントローラー１２と、管理端末１３と、を備える。
【００１９】
コントローラー１２は、例えばサーバーコンピューターである。コントローラー１２は、例えば建築物１に設けられる。コントローラー１２は、取得部１４と、処理部１５と、記憶部１６と、生成部１７と、送信部１８と、を備える。
【００２０】
取得部１４は、複数の設備のエネルギー生産量またはエネルギー消費量の情報を取得しうるように、複数の設備の各々に対応する複数のメーター９の各々に接続される。取得部１４は、エネルギー生産設備に対応するメーター９からパルス信号が入力されたときに、当該パルス信号に対応するエネルギー量の情報を生産量データとして取得する部分である。また、取得部１４は、エネルギー消費設備に対応するメーター９からパルス信号が入力されたときに、当該パルス信号に対応するエネルギー量の情報を消費量データとして取得する部分でもある。
【００２１】
処理部１５は、生産量データおよび消費量データを取得しうるように、取得部１４に接続される。処理部１５は、生産量データおよび消費量データを例えば次のように処理する部分である。生産量データおよび消費量データが例えばｋＷｈ、ＷｈおよびＪなどの異なる単位の数値によるエネルギー量の情報を複数含む場合に、処理部１５は、例えばｋＷｈなどに統一された単位の数値によるエネルギー量の情報に換算する。あるいは、建築物１に同一の種別の複数の設備が設けられている場合に、処理部１５は、種別ごとにエネルギー消費量を集計する。より具体的な例として、種別が昇降機７である設備として４基のエレベーターが建築物１に設けられている場合に、処理部１５は、４基のエレベーターにおけるエネルギー消費量を集計する。
【００２２】
記憶部１６は、処理された生産量データおよび消費量データを取得しうるように、処理部１５に接続される。記憶部１６は、取得した生産量データおよび消費量データを記憶する部分である。記憶部１６は、評価期間および評価期間より過去の生産量データおよび消費量データを記憶している。例えば評価期間が１年間である場合に、記憶部１６は、評価期間より過去の一年以上の期間の生産量データおよび消費量データを記憶している。
【００２３】
生成部１７は、記憶されている生産量データおよび消費量データを取得しうるように、記憶部１６に接続される。生成部１７は、例えば要求信号が入力されるときに、生産量データおよび消費量データに基づいて、第１グラフデータおよび第２グラフデータを生成する部分である。第１グラフデータおよび第２グラフデータの各々は、エネルギーの収支の情報を表すデータである。要求信号は、第１グラフデータおよび第２グラフデータの生成を要求する信号である。要求信号は、例えばコントローラー１２の図示されない制御部によって例えば１時間ごとに生成部１７に入力される。
【００２４】
送信部１８は、生成された第１グラフデータおよび第２グラフデータを取得しうるように、生成部１７に接続される。送信部１８は、取得した第１グラフデータおよび第２グラフデータを表示部に送信する部分である。表示部は、受信したデータが表す内容を表示する部分である。表示部は、例えば管理端末１３である。
【００２５】
管理端末１３は、例えばパーソナルコンピューターである。管理端末１３は、例えば建築物１に設けられる。管理端末１３は、受信部１９と、描画処理部２０と、ディスプレイ２１と、を備える。
【００２６】
受信部１９は、第１グラフデータおよび第２グラフデータを受信しうるように、コントローラー１２の送信部１８に接続される。
【００２７】
描画処理部２０は、受信した第１グラフデータおよび第２グラフデータを取得しうるように、受信部１９に接続される。描画処理部２０は、取得した第１グラフデータおよび第２グラフデータが表す情報を例えばディスプレイ２１に描画する処理を行う部分である。描画処理部２０は、例えば、第１グラフデータおよび第２グラフデータの各々が表す情報を時間的に交互に描画させる信号をディスプレイ２１に出力する。
【００２８】
ディスプレイ２１は、表示する情報を表す信号を取得しうるように、描画処理部２０に接続される。ディスプレイ２１は、例えば、描画処理部２０からの信号にしたがって、第１グラフデータおよび第２グラフデータの各々が表す情報を時間的に交互に表示する。ディスプレイ２１は、例えば第１グラフデータおよび第２グラフデータの各々が表す情報を例えば１０秒おきに交互に表示する。
【００２９】
続いて、図２および図３を用いて、エネルギー収支の表示の例を説明する。
図２および図３は、実施の形態１に係る可視化システムにおける表示の例を示す図である。
【００３０】
図２において、第１グラフデータが表す情報の表示の例が示される。
【００３１】
第１グラフデータは、例えば、タイトルバー２２、総量表示２３、種別表示２４、および第１グラフ２５のデータを含む。
【００３２】
タイトルバー２２は、画面の上方に表示される。タイトルバー２２は、例えば、グラフのタイトル、現在の時刻、現在の気温、および現在の湿度の情報を表示する。グラフのタイトルは、例えば「ＺＥＢ見える化［ＺＥＢ判定］」などのように文字列によって表示される。現在の時刻は、例えば文字列によって表示される。現在の気温は、例えば温度を表すアイコンと温度の数値とによって表示される。現在の湿度は、例えば湿度を表すアイコンと湿度の数値とによって表示される。現在の気温および現在の湿度の情報は、例えばコントローラー１２が備える図示されないセンサーによって取得される。あるいは、現在の気温および現在の湿度の情報は、例えば可視化システム１１の外部から提供される気象データに基づいて取得される。
【００３３】
総量表示２３は、画面の左下に表示される。総量表示２３は、総エネルギー消費量２６、および総エネルギー生産量２７を表す。総エネルギー消費量２６は、対象設備１０の全体におけるエネルギー消費量の評価期間の始期からの累積値である。総エネルギー消費量２６は、例えばｋＷｈを単位とした数値で表示される。総エネルギー消費量２６は、例えば総消費電力量である。総エネルギー生産量２７は、対象設備１０の全体におけるエネルギー生産量の評価期間の始期からの累積値である。総エネルギー生産量２７は、例えばｋＷｈを単位とした数値で表示される。総エネルギー生産量２７は、例えば総発電電力量である。総エネルギー生産量２７は、総エネルギー消費量２６の下方に表示される。
【００３４】
種別表示２４は、画面の右下に表示される。種別表示２４は、種別エネルギー消費量２８、および種別割合２９を表す。種別エネルギー消費量２８は、対象設備１０における種別ごとのエネルギー消費量の評価期間の始期からの累積値である。種別エネルギー消費量２８は、例えば種別を表すアイコンおよび文字とエネルギー消費量のｋＷｈを単位とした数値とで表示される。種別割合２９は、種別エネルギー消費量２８の総エネルギー消費量２６に対する割合を表す。種別割合２９は、例えば横向きの帯グラフによって表される。種別割合２９は、種別エネルギー消費量２８の下方に表示される。
【００３５】
第１グラフ２５は、タイトルバー２２の下方に表示される。第１グラフ２５は、総量表示２３の上方に表示される。第１グラフ２５は、種別表示２４の上方に表示される。第１グラフ２５において、縦軸はエネルギー消費量およびエネルギー生産量を表す。第１グラフ２５において、縦軸の上方は、正のエネルギー消費量を表す。第１グラフ２５において、縦軸の下方は、正のエネルギー生産量を表す。すなわち、第１グラフ２５において、正のエネルギー生産量は、負のエネルギー消費量として表される。第１グラフ２５において、横軸は、評価期間における時期を表す。横軸が表す時期は、評価期間の内の予め定められた時間単位によって表される。当該時間単位は、例えば評価期間の内の各月である。評価期間が４月１日を始期とする年度であるとき、第１グラフ２５において、横軸は、例えば評価対象の年度における各月を表す。第１グラフ２５は、第１積層グラフ３０、第１マーカー３１、第１ボーダーライン３２、第１履歴積層グラフ３３、および第１履歴マーカー３４の情報を表示する。
【００３６】
第１積層グラフ３０は、評価期間におけるエネルギー消費量およびエネルギー生産量の実績値を表す。第１積層グラフ３０は、複数の第１表示バー３５によって棒グラフとして表される。複数の第１表示バー３５の各々は、評価期間における各月のエネルギー消費量およびエネルギー生産量の実績値を表す。
【００３７】
当月より前の月に対応する第１表示バー３５は、当該第１表示バー３５が対応する月におけるエネルギー消費量およびエネルギー生産量の実績値を表す。当月に対応する第１表示バー３５は、当月の１日から現在までにおけるエネルギー消費量およびエネルギー生産量の実績値を表す。
【００３８】
複数の第１表示バー３５の各々は、評価期間における各月のエネルギー消費量を、対象設備１０の種別ごとに正側に積層して表す。種別ごとのエネルギー消費量は、例えば空調設備３、換気設備４、照明設備５、給湯設備６および昇降機７の順に下から上に積層されて表示される。種別ごとのエネルギー消費量は、第１表示バー３５の対応する箇所の例えば色彩または模様などによって識別される。複数の第１表示バー３５の各々は、評価期間における各月のエネルギー消費量に対応する長さだけ横軸から上方に延びる。
【００３９】
複数の第１表示バー３５の各々は、評価期間における各月のエネルギー生産量を、負側に積層して表す。複数の第１表示バー３５の各々は、評価期間における各月のエネルギー生産量に対応する長さだけ横軸から下方に延びる。
【００４０】
第１マーカー３１は、評価期間におけるエネルギー消費量の累積平均を表す。エネルギー消費量の累積平均は、例えば評価期間の始期からのエネルギー消費量の累積値を、評価期間の始期からの経過月数で割った値である。評価期間の始期が評価対象の年の４月であるとき、翌年の１月は、評価対象の始期から１０月目に相当する。このとき、エネルギー消費量の累積平均は、評価対象の年の４月から翌年の１月までの対象設備１０のエネルギー消費量の累積値を、経過月数である１０で割った値である。第１マーカー３１は、第１積層グラフ３０に重ねて表示される。第１マーカー３１は、例えばひし形の点によって表示される。
【００４１】
第１ボーダーライン３２は、評価期間に対するエネルギー消費量の基準値の月あたりの値を表す。評価期間に対するエネルギー消費量の基準値は、例えばＺＥＢ  Ｒｅａｄｙの要件に対応する値である。当該基準値は、基準一次エネルギー消費量の５０％である。当該基準値は、１年間の評価期間に対して定められる。第１ボーダーライン３２は、当該基準値を月あたりの値として１２で割った値を表す。第１ボーダーライン３２は、第１積層グラフ３０に重ねて表示される。
【００４２】
第１履歴積層グラフ３３は、比較期間におけるエネルギー消費量およびエネルギー生産量の実績値を表す。比較期間は、評価期間より過去の期間である。比較期間は、例えば年度である評価期間の前の年度である。第１履歴積層グラフ３３は、複数の第１履歴バー３６によって棒グラフとして表される。複数の第１履歴バー３６の各々は、比較期間における各月のエネルギー消費量およびエネルギー生産量の実績値を表す。
【００４３】
複数の第１履歴バー３６の各々は、比較期間における各月のエネルギー消費量を、対象設備１０の種別ごとに正側に積層して表す。種別ごとのエネルギー消費量は、例えば空調設備３、換気設備４、照明設備５、給湯設備６および昇降機７の順に下から上に積層して表示される。種別ごとのエネルギー消費量は、第１履歴バー３６の対応する箇所の例えば色彩または模様などによって識別される。複数の第１履歴バー３６の各々は、比較対象の年における各月のエネルギー消費量に対応する長さだけ横軸から上方に延びる。
【００４４】
複数の第１履歴バー３６の各々は、比較期間における各月のエネルギー生産量を、負側に積層して表す。複数の第１履歴バー３６の各々は、比較期間における各月のエネルギー生産量に対応する長さだけ横軸から下方に延びる。
【００４５】
複数の第１履歴バー３６の各々は、当該第１履歴バー３６が表す月と同じ月を表す第１表示バー３５に対応する。例えば、比較期間の９月を表す第１履歴バー３６は、評価期間の９月を表す第１表示バー３５に対応する。複数の第１履歴バー３６の各々は、対応する第１表示バー３５の左側に隣接して表示される。当月より後の月と同じ月を表す第１履歴バー３６は、対応する第１表示バー３５が表示される領域の左側に表示される。例えば、比較期間の２月を表す第１履歴バー３６は、評価期間の２月を表す第１表示バー３５が表示される領域の左側に表示される。複数の第１履歴バー３６の各々の幅は、複数の第１表示バー３５の幅より狭く表示される。複数の第１履歴バー３６の各々の色彩または模様などは、複数の第１表示バー３５の色彩または模様などより薄く表示される。ここで、薄い色彩または模様などは、背景色に近い色彩または模様などである。
【００４６】
第１履歴マーカー３４は、比較対象の年におけるエネルギー消費量の累積平均を表す。第１履歴マーカー３４は、第１履歴積層グラフ３３に重ねて表示される。第１履歴マーカー３４は、例えばひし形の点によって表示される。第１履歴マーカー３４の大きさは、第１マーカー３１の大きさより小さく表示される。第１履歴マーカー３４の色彩は、第１マーカー３１の色彩より薄く表示される。
【００４７】
図３において、第２グラフデータが表す情報の表示の例が示される。
【００４８】
第２グラフデータは、例えば、タイトルバー２２、総量表示２３、種別表示２４、および第２グラフ３７のデータを含む。
【００４９】
タイトルバー２２は、画面の上方に表示される。タイトルバー２２は、例えば、グラフのタイトル、現在の時刻、現在の気温、および現在の湿度の情報を表示する。グラフのタイトルは、例えば「ＺＥＢ見える化［ＺＥＢ達成度］」などのように文字列によって表示される。現在の時刻は、例えば文字列によって表示される。現在の気温は、例えば温度を表すアイコンと温度の数値とによって表示される。現在の湿度は、例えば湿度を表すアイコンと湿度の数値とによって表示される。
【００５０】
総量表示２３は、画面の左下に表示される。総量表示２３は、総エネルギー消費量２６、および総エネルギー生産量２７を表す。総エネルギー消費量２６は、例えば数値で表示される。総エネルギー生産量２７は、例えば数値で表示される。総エネルギー生産量２７は、総エネルギー消費量２６の下方に表示される。
【００５１】
種別表示２４は、画面の右下に表示される。種別表示２４は、種別エネルギー消費量２８、および種別割合２９を表す。種別エネルギー消費量２８は、例えば種別を表すアイコンおよび文字とエネルギー消費量の数値とで表示される。種別割合２９は、例えば横向きの帯グラフによって表される。種別割合２９は、種別エネルギー消費量２８の下方に表示される。
【００５２】
第２グラフ３７は、タイトルバー２２の下方に表示される。第２グラフ３７は、総量表示２３の上方に表示される。第２グラフ３７は、種別表示２４の上方に表示される。第２グラフ３７において、縦軸はエネルギー消費量およびエネルギー生産量を表す。第２グラフ３７において、縦軸の上方は、正のエネルギー消費量を表す。第２グラフ３７において、縦軸の下方は、正のエネルギー生産量を表す。すなわち、第２グラフ３７において、正のエネルギー生産量は、負のエネルギー消費量として表される。第２グラフ３７において、横軸は、評価期間における時期を表す。横軸が表す時期は、評価期間の内の予め定められた時間単位によって表される。当該時間単位は、例えば評価期間の内の各月である。評価期間が４月１日を始期とする年度であるとき、第２グラフ３７において、横軸は、例えば評価期間における各月を表す。第２グラフ３７は、第２積層グラフ３８、第２マーカー３９、複数の第２ボーダーライン４０、第２履歴積層グラフ４１、および第２履歴マーカー４２の情報を表示する。
【００５３】
第２積層グラフ３８は、評価期間におけるエネルギー消費量およびエネルギー生産量の実績値を表す。第２積層グラフ３８は、複数の第２表示バー４３によって棒グラフとして表される。複数の第２表示バー４３の各々は、評価期間における各月のエネルギー消費量およびエネルギー生産量の実績値を表す。
【００５４】
当月より前の月に対応する第２表示バー４３は、当該第２表示バー４３が対応する月におけるエネルギー消費量およびエネルギー生産量の実績値を表す。当月に対応する第２表示バー４３は、当月の１日から現在までにおけるエネルギー消費量およびエネルギー生産量の実績値を表す。
【００５５】
複数の第２表示バー４３の各々は、評価期間における各月のエネルギー消費量を、対象設備１０の種別ごとに正側に積層して表す。種別ごとのエネルギー消費量は、例えば空調設備３、換気設備４、照明設備５、給湯設備６および昇降機７の順に下から上に積層されて表示される。種別ごとのエネルギー消費量は、第２表示バー４３の対応する箇所の例えば色によって識別される。複数の第２表示バー４３の各々は、評価期間における各月のエネルギー消費量に対応する長さだけ横軸から上方に延びる。
【００５６】
複数の第２表示バー４３の各々は、評価期間における各月のエネルギー生産量を、負側に積層して表す。複数の第２表示バー４３の各々は、評価期間における各月のエネルギー生産量に対応する長さだけ横軸から下方に延びる。
【００５７】
第２マーカー３９は、評価期間における正味のエネルギー消費量の累積平均を表す。正味のエネルギー消費量の累積平均は、例えば評価期間の始期からの正味のエネルギー消費量の累積値を、評価期間の始期からの経過月数で割った値である。正味のエネルギー消費量は、エネルギー消費量からエネルギー生産量を差し引いたエネルギー量である。評価期間の始期が評価期間の４月であるとき、評価期間の６月は、評価期間の始期から３月目に相当する。このとき、正味のエネルギー消費量の累積平均は、評価期間の４月からの対象設備１０の全体における正味のエネルギー消費量の累積値を、経過月数である３で割った値である。第２マーカー３９は、第２積層グラフ３８に重ねて表示される。第２マーカー３９は、例えばひし形の点によって表示される。
【００５８】
複数の第２ボーダーライン４０の各々は、評価期間に対する正味のエネルギー消費量の基準値の月あたりの値を表す。この例において、複数の第２ボーダーライン４０は、３つの基準値の月あたりの値を表す。評価期間に対する正味のエネルギー消費量の３つの基準値は、例えばＺＥＢ  Ｒｅａｄｙの要件に対応する値、Ｎｅａｒｌｙ  ＺＥＢの要件に対応する値、および『ＺＥＢ』の要件に対応する値である。ＺＥＢ  Ｒｅａｄｙの要件に対応する値は、基準一次エネルギー消費量の５０％である。Ｎｅａｒｌｙ  ＺＥＢの要件に対応する値は、基準一次エネルギー消費量の２５％である。『ＺＥＢ』の要件に対応する値は、基準一次エネルギー消費量の０％である。これらの基準値は、１年間の評価期間に対して定められる。複数の第２ボーダーライン４０の各々は、対応する基準値を月あたりの値として１２で割った値を表す。複数の第２ボーダーライン４０の各々は、第２積層グラフ３８に重ねて表示される。
【００５９】
第２履歴積層グラフ４１は、比較期間におけるエネルギー消費量およびエネルギー生産量の実績値を表す。第２履歴積層グラフ４１は、複数の第２履歴バー４４によって棒グラフとして表される。複数の第２履歴バー４４の各々は、比較期間における各月のエネルギー消費量およびエネルギー生産量の実績値を表す。
【００６０】
複数の第２履歴バー４４の各々は、比較期間における各月のエネルギー消費量を、対象設備１０の種別ごとに正側に積層して表す。種別ごとのエネルギー消費量は、例えば空調設備３、換気設備４、照明設備５、給湯設備６および昇降機７の順に下から上に積層して表示される。種別ごとのエネルギー消費量は、第２履歴バー４４の対応する箇所の例えば色彩または模様などによって識別される。複数の第２履歴バー４４の各々は、比較期間における各月のエネルギー消費量に対応する長さだけ横軸から上方に延びる。
【００６１】
複数の第２履歴バー４４の各々は、比較期間における各月のエネルギー生産量を、負側に積層して表す。複数の第２履歴バー４４の各々は、比較期間における各月のエネルギー生産量に対応する長さだけ横軸から下方に延びる。
【００６２】
複数の第２履歴バー４４の各々は、当該第２履歴バー４４が表す月と同じ月を表す第２表示バー４３に対応する。例えば、比較期間の５月を表す第２履歴バー４４は、評価期間の５月を表す第２表示バー４３に対応する。複数の第２履歴バー４４の各々は、対応する第２表示バー４３の左側に隣接して表示される。当月より後の月と同じ月を表す第２履歴バー４４は、対応する第２表示バー４３が表示される領域の左側に表示される。例えば、比較期間の８月を表す第１履歴バー３６は、評価期間の８月を表す第１表示バー３５が表示される領域の左側に表示される。複数の第２履歴バー４４の各々の幅は、複数の第２表示バー４３の幅より狭く表示される。複数の第１履歴バー３６の各々の色彩または模様などは、複数の第２表示バー４３の色彩または模様などより薄く表示される。
【００６３】
第２履歴マーカー４２は、比較期間における正味のエネルギー消費量の累積平均を表す。第２履歴マーカー４２は、第２履歴積層グラフ４１に重ねて表示される。第２履歴マーカー４２は、例えばひし形の点によって表示される。第２履歴マーカー４２の大きさは、第２マーカー３９の大きさより小さく表示される。第２履歴マーカー４２の色彩は、第２マーカー３９の色彩より薄く表示される。
【００６４】
第２グラフデータにおいて、総量表示２３および種別表示２４は、第１グラフデータと同様に表示される。第２グラフデータにおいて、第２積層グラフ３８および第２履歴積層グラフ４１は、第１グラフデータと同様に表示される。
【００６５】
続いて、図４を用いて、可視化システム１１の動作の例を説明する。
図４は、実施の形態１に係る可視化システムの動作の例を示すフローチャートである。
【００６６】
ステップＳ１において、取得部１４は、消費量データおよび生産量データを取得する。その後、可視化システム１１の動作は、ステップＳ２に進む。
【００６７】
ステップＳ２において、処理部１５は、取得部１４が取得した消費量データおよび生産量データを処理する。その後、可視化システム１１の動作は、ステップＳ３に進む。
【００６８】
ステップＳ３において、生成部１７は、要求信号が入力されたかを判定する。判定結果がＹｅｓの場合に、可視化システム１１の動作は、ステップＳ４に進む。判定結果がＮｏの場合に、可視化システム１１の動作は、ステップＳ１に進む。
【００６９】
ステップＳ４において、生成部１７は、処理部１５が処理した消費量データおよび生産量データに基づいて、第１グラフデータおよび第２グラフデータを生成する。その後、可視化システム１１の動作は、ステップＳ５に進む。
【００７０】
ステップＳ５において、送信部１８は、生成部１７が生成した第１グラフデータおよび第２グラフデータを表示部に送信する。その後、可視化システム１１の動作は、ステップＳ１に進む。
【００７１】
以上に説明したように、実施の形態１に係る可視化システム１１は、取得部１４と、生成部１７と、を備える。取得部１４は、消費量データを取得する。消費量データは、複数の対象設備１０のエネルギー消費量を表す。生成部１７は、第１グラフデータを、取得部１４が取得した消費量データに基づいて、第１積層グラフ３０の情報を含むように生成する。第１グラフデータは、表示部に表示される情報を表す。第１積層グラフ３０は、評価期間の内の予め定められた時間単位におけるエネルギー消費量を複数の対象設備１０の種別ごとに正側である上方に積層したグラフである。
【００７２】
これにより、複数の対象設備１０の種別ごとのエネルギー消費量が表示部に表示される。これにより、管理者は、どの種別の対象設備１０におけるエネルギー消費量を抑えればよいかを把握できる。このため、エネルギー消費量を抑える方策が立てやすくなる。
【００７３】
対象設備１０の種別ごとのエネルギー消費量は、正側である上方に積層した第１積層グラフ３０によって表される。第１積層グラフ３０は、横軸からの高さが対象設備１０におけるエネルギー消費量に対応するように上方に積層される。すなわち、第１積層グラフ３０の上端が上方に上がるほど、エネルギー消費量を下げる方策の必要性が高まる。このため、第１積層グラフ３０は、管理者に取るべき方策を直感的に示すことができる。
【００７４】
また、生成部１７は、第１グラフデータを、第１マーカー３１と、第１ボーダーライン３２と、の情報を含むように生成する。第１マーカー３１は、複数の対象設備１０の全体のエネルギー消費量の評価期間の始期からの累積平均を表す。第１マーカー３１は、第１積層グラフ３０に重ねて表示される。第１ボーダーライン３２は、評価期間に対するエネルギー消費量の基準値の時間単位あたりの値を表す。第１ボーダーライン３２は、第１積層グラフ３０に重ねて表示される。
【００７５】
第１マーカー３１は、累積平均として評価期間の始期からのエネルギー消費量の情報を月毎の平均として表す。第１ボーダーライン３２は、エネルギー消費量の年間の基準値の月あたりの値を表す。このため、管理者は、第１マーカー３１と第１ボーダーライン３２との位置を比較することにより、評価期間の始期から現時点までのエネルギー消費量の実績値に基づいて、現時点における基準への適合の見込みが把握できる。すなわち、管理者は、評価期間の始期から現時点までのエネルギー消費の平均的なペースが、評価期間の末期において基準に適合する見込みのあるペースであるか否かが把握できる。例えば第１マーカー３１が第１ボーダーライン３２より下方にある場合に、管理者は、現時点までのエネルギー消費の平均的なペースが維持されれば建築物１が基準に適合する見込みであることが把握できる。一方、第１マーカー３１が第１ボーダーライン３２より上方にある場合に、管理者は、現時点までのエネルギー消費の平均的なペースが維持されれば建築物１が基準に適合しない見込みであることが把握できる。この場合に、管理者は、例えばエネルギー消費量を抑える方策を立てる。
【００７６】
また、生成部１７は、第１グラフデータにおいて第１積層グラフ３０を時間単位ごとの複数の第１表示バー３５によって棒グラフとして表す。生成部１７は、複数の第１履歴バー３６の情報を含むように第１グラフデータを生成する。複数の第１履歴バー３６は、評価期間より過去の比較期間の内の予め定められた時間単位におけるエネルギー消費量を表す。複数の第１履歴バー３６は、複数の第１表示バー３５の各々に隣接して表示される。
【００７７】
比較期間は、例えば評価期間の年の前年である。複数の第１履歴バー３６は、複数の第１表示バー３５の各々に隣接して表示される。これにより、管理者は、第１グラフ２５によって、比較期間と評価期間とにおいて同時期のエネルギー消費量を直接的に対比できる。このため、管理者は、評価期間の内の季節性を考慮してエネルギー消費量を抑える方策を立てられる。
【００７８】
また、実施の形態１に係る可視化システム１１は、取得部１４と、生成部１７と、を備える。取得部１４は、消費量データを取得する。消費量データは、複数の対象設備１０のエネルギー消費量を表す。取得部１４は、生産量データを取得する。生産量データは、複数の対象設備１０のエネルギー生産量を表す。生成部１７は、第２グラフデータを、取得部１４が取得した消費量データおよび生産量データに基づいて、第２積層グラフ３８の情報を含むように生成する。第２グラフデータは、表示部に表示される情報を表す。第２積層グラフ３８は、評価期間の内の予め定められた時間単位におけるエネルギー消費量を複数の対象設備１０の種別ごとに正側である上方に積層したグラフである。第２積層グラフ３８は、評価期間の内の予め定められた時間単位におけるエネルギー生産量を負側である下方に積層したグラフである。
【００７９】
これにより、複数の対象設備１０の種別ごとのエネルギー消費量が表示部に表示される。これにより、管理者は、どの種別の対象設備１０におけるエネルギー消費量を抑えればよいかを把握できる。このため、エネルギー消費量を抑える方策が立てやすくなる。
【００８０】
対象設備１０の種別ごとのエネルギー消費量は、正側である上方に積層した第２積層グラフ３８によって表される。第２積層グラフ３８は、横軸からの上方への高さが対象設備１０におけるエネルギー消費量に対応するように上方に積層される。すなわち、第２積層グラフ３８の上端が上方に上がるほど、エネルギー消費量を下げる方策の必要性が高まる。このため、第２積層グラフ３８は、管理者に取るべき方策を直感的に示すことができる。
【００８１】
第２積層グラフ３８は、横軸からの下方への深さが対象設備１０におけるエネルギー生産量に対応するように下方に積層される。管理者は、第２グラフ３７によってエネルギー消費量とエネルギー生産量とを一見して比較できる。このため、管理者は、正味のエネルギー消費量を抑える方策の要否を検討しやすくなる。
【００８２】
また、生成部１７は、第２グラフデータを、第２マーカー３９と、第２ボーダーライン４０と、の情報を含むように生成する。第２マーカー３９は、対象設備１０の正味のエネルギー消費量の評価期間の始期からの累積平均を表す。第２マーカー３９は、第２積層グラフ３８に重ねて表示される。第２ボーダーライン４０は、評価期間に対する正味のエネルギー消費量の基準値の時間単位あたりの値を表す。第２ボーダーライン４０は、第２積層グラフ３８に重ねて表示される。
【００８３】
第２マーカー３９は、累積平均として評価期間の始期からの正味のエネルギー消費量の情報を月毎の平均として表す。第２ボーダーライン４０は、エネルギー消費量の年間の基準値の月あたりの値を表す。このため、管理者は、第２マーカー３９と第２ボーダーライン４０との位置を比較することにより、評価期間の始期から現時点までの正味のエネルギー消費量の実績値に基づいて、現時点における基準への適合の見込みが把握できる。すなわち、管理者は、評価期間の始期から現時点までの正味のエネルギー消費の平均的なペースが、評価期間の末期において基準に適合する見込みのあるペースであるか否かが把握できる。例えば第２マーカー３９が第２ボーダーライン４０より下方にある場合に、管理者は、現時点までの正味のエネルギー消費の平均的なペースが維持されれば建築物１が基準に適合する見込みであることが把握できる。一方、第２マーカー３９が第２ボーダーライン４０より上方にある場合に、管理者は、現時点までの正味のエネルギー消費の平均的なペースが維持されれば建築物１が基準に適合しない見込みであることが把握できる。この場合に、管理者は、例えば正味のエネルギー消費量を抑える方策を立てる。
【００８４】
また、生成部１７は、第２グラフ３７データにおいて第２積層グラフ３８を時間単位ごとの複数の第２表示バー４３によって棒グラフとして表す。生成部１７は、複数の第２履歴バー４４の情報を含むように第２グラフ３７データを生成する。複数の第２履歴バー４４は、評価期間より過去の比較期間の内の予め定められた時間単位におけるエネルギー消費量およびエネルギー生産量を表す。複数の第２履歴バー４４は、複数の第２表示バー４３の各々に隣接して表示される。
【００８５】
複数の第２履歴バー４４は、複数の第２表示バー４３の各々に隣接して表示される。これにより、管理者は、第２グラフ３７によって、比較期間と評価期間とにおいて同時期のエネルギー消費量およびエネルギー生産量を直接的に対比することができる。このため、管理者は、評価期間の内の季節性を考慮してエネルギー消費量を抑える方策を立てられる。
【００８６】
また、生成部１７は、第１グラフデータと第２グラフデータとの両方を生成する。
【００８７】
これにより、管理者は、エネルギー消費量についての基準と、正味のエネルギー消費量についての基準とについての適合の見込みを同時に把握できる。例えばＮｅａｒｌｙ  ＺＥＢの要件および『ＺＥＢ』の要件は、エネルギー消費量についての基準と正味エネルギーについての基準との両方を満たす必要がある。可視化システム１１は、このような要件をもつ基準についても、管理者に、建築物１が当該基準に適合する見込みを示すことができる。
【００８８】
なお、可視化システム１１は、建築物１の外部に設けられてもよい。可視化システム１１は、ＶＰＮ（Ｖｉｒｔｕａｌ  Ｐｒｉｖａｔｅ  Ｎｅｔｗｏｒｋ）などのネットワークを通じて対象設備１０から消費量データおよび生産量データを取得してもよい。
【００８９】
また、取得部１４は、消費量データまたは生産量データを数値データとしてメーター９から直接取得してもよい。
【００９０】
また、表示部は、コントローラー１２に設けられるディスプレイであってもよい。表示部は、スマートフォンまたはタブレットＰＣ（Ｐｅｒｓｏｎａｌ  Ｃｏｍｐｕｔｅｒ）などの携帯端末であってもよい。表示部は、複数あってもよい。
【００９１】
また、表示部は、第１グラフ２５および第２グラフ３７を同時に並べて表示してもよい。
【００９２】
また、エネルギー収支に関する基準は、ここに例示したものでなくてもよい。可視化システム１１は、対象設備１０として、空調設備３、換気設備４、照明設備５、給湯設備６、および昇降機７の他の設備を含んでもよい。評価期間は、評価を開始する年の４月から翌年の３月まででなくてもよい。
【００９３】
また、エネルギー生産設備において生産されるエネルギーは、電気エネルギーでなくてもよい。エネルギー生産設備において生産されるエネルギーは、例えば熱エネルギーであってもよい。エネルギー生産設備は、例えば、コージェネレーションの設備であってもよい。
【００９４】
続いて、図５を用いて可視化システム１１のハードウェア構成の例について説明する。
図５は、実施の形態１に係る可視化システムの主要部のハードウェア構成を示す図である。
【００９５】
可視化システム１１の各機能は、処理回路により実現し得る。処理回路は、少なくとも１つのプロセッサ１１ｂと少なくとも１つのメモリ１１ｃとを備える。処理回路は、プロセッサ１１ｂおよびメモリ１１ｃと共に、あるいはそれらの代用として、少なくとも１つの専用のハードウェア１１ａを備えてもよい。
【００９６】
処理回路がプロセッサ１１ｂとメモリ１１ｃとを備える場合、可視化システム１１の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ１１ｃに格納される。プロセッサ１１ｂは、メモリ１１ｃに記憶されたプログラムを読み出して実行することにより、可視化システム１１の各機能を実現する。
【００９７】
プロセッサ１１ｂは、ＣＰＵ（Ｃｅｎｔｒａｌ  Ｐｒｏｃｅｓｓｉｎｇ  Ｕｎｉｔ）、処理装置、演算装置、マイクロプロセッサ、マイクロコンピュータ、ＤＳＰともいう。メモリ１１ｃは、例えば、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等により構成される。
【００９８】
処理回路が専用のハードウェア１１ａを備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【００９９】
可視化システム１１の各機能は、それぞれ処理回路で実現することができる。あるいは、可視化システム１１の各機能は、まとめて処理回路で実現することもできる。可視化システム１１の各機能について、一部を専用のハードウェア１１ａで実現し、他部をソフトウェアまたはファームウェアで実現してもよい。このように、処理回路は、ハードウェア１１ａ、ソフトウェア、ファームウェア、またはこれらの組み合わせで可視化システム１１の各機能を実現する。
【産業上の利用可能性】
【０１００】
本発明に係る可視化システムは、エネルギー消費設備が設けられる建築物に適用できる。
【符号の説明】
【０１０１】
１  建築物、  ２  発電設備、  ３  空調設備、  ４  換気設備、  ５  照明設備、  ６  給湯設備、  ７  昇降機、  ８  その他の設備、  ９  メーター、  １０  対象設備、  １１  可視化システム、  １２  コントローラー、  １３  管理端末、  １４  取得部、  １５  処理部、  １６  記憶部、  １７  生成部、  １８  送信部、  １９  受信部、  ２０  描画処理部、  ２１  ディスプレイ、  ２２  タイトルバー、  ２３  総量表示、  ２４  種別表示、  ２５  第１グラフ、  ２６  総エネルギー消費量、  ２７  総エネルギー生産量、  ２８  種別エネルギー消費量、  ２９  種別割合、  ３０  第１積層グラフ、  ３１  第１マーカー、  ３２  第１ボーダーライン、  ３３  第１履歴積層グラフ、  ３４  第１履歴マーカー、  ３５  第１表示バー、  ３６  第１履歴バー、  ３７  第２グラフ、  ３８  第２積層グラフ、  ３９  第２マーカー、  ４０  第２ボーダーライン、  ４１  第２履歴積層グラフ、  ４２  第２履歴マーカー、  ４３  第２表示バー、  ４４  第２履歴バー、  １１ａ  ハードウェア、  １１ｂ  プロセッサ、  １１ｃ  メモリ
【要約】
本発明の目的は、エネルギー消費量を抑える方策を立てやすいエネルギー収支の可視化システム（１１）を提供することである。可視化システム（１１）は、取得部（１４）と、生成部（１７）と、を備える。取得部（１４）は、複数の対象設備（１０）のエネルギー消費量を表す消費量データを取得する。生成部（１７）は、消費量データに基づいて、評価期間の内の予め定められた時間単位におけるエネルギー消費量を複数の対象設備（１０）の種別ごとに正側である上方に積層したグラフの情報を含むデータを生成する。生成部（１７）が生成したデータが表す情報は、管理端末（１３）に表示される。【図１】
0006747606.tif 000002
【図２】
0006747606.tif 000003
【図３】
0006747606.tif 000004
【図４】
0006747606.tif 000005
【図５】
0006747606.tif 000006